(57)【要約】【課題】  ジブ基端部からジブ用ワイヤ先端を取り外す必要がなく、またジブ用ワイヤ先端をジブ先端まで運ぶ必要がないため、安全面及び工数面で優れたジブ着脱装置を提供する。【解決手段】  ブームジブ間連結手段により伸縮ブーム先端にジブ６０を連結可能な移動式クレーンの伸縮ブーム先端へのジブ着脱装置において、伸縮ブーム先端前方に張出し自在に伸縮ブーム先端上部に設置されたジブ着脱用シーブ５５と、ジブ基端上部に設置されジブ用ワイヤ４５の中間部を係脱自在なワイヤ中間係止部６７と、ジブ先端部に設置されジブ用ワイヤ４５の先端を係脱自在なワイヤ先端係止部６９と、を備えた。【選択図】        図１
2006341939.tif 000002
【特許請求の範囲】
【請求項１】
ブームジブ間連結手段により伸縮ブーム先端にジブを連結可能な移動式クレーンの伸縮ブーム先端へのジブ着脱装置において、
伸縮ブーム先端上部に設置され張出し自在なジブ着脱用シーブと、ジブ基端上部に設置されジブ用ワイヤ中間部を係脱自在なワイヤ中間係止部と、ジブ先端部に設置されジブ用ワイヤの先端を係脱自在なワイヤ先端係止部と、を備え、次の手順で前記ジブを伸縮ブーム先端に連結することを特徴とする移動式クレーンの伸縮ブーム先端へのジブ着脱装置。
（１）倒伏状態の伸縮ブームとジブが平面視同軸となるよう、かつ伸縮ブーム先端の下方にジブ基端部が位置するようジブを地面上に載置する。
（２）旋回台に備えられたジブ用ウインチから繰出されたジブ用ワイヤを前記ジブ着脱用シーブに掛け回した後に伸縮ブーム先端から吊下する。
（３）前記ジブ用ワイヤ中間部を前記ジブ基端部のワイヤ中間係止部に係止し、さらに当該ジブ用ワイヤ先端部を前記ジブ先端のワイヤ先端係止部に係止する。
（４）前記ジブ用ウインチを巻き上げることによりジブ基端部を伸縮ブーム先端まで引上げた後、前記ブームジブ間連結手段により前記ジブ基端部を伸縮ブーム先端に連結する。
【請求項２】
次の手順が加えられることを特徴とする請求項１に記載された移動式クレーンの伸縮ブーム先端へのジブ着脱装置。
（５）前記ジブ用ワイヤ中間部と前記ワイヤ中間係止部との係止を解除する。
（６）前記ジブ用ワイヤ先端部とワイヤ先端係止部との係止を解除した後、当該ジブ用ワイヤ先端部をジブ先端から吊下し、当該ジブ用ワイヤ先端部にジブ用フックを取り付ける。
【請求項３】
前記ワイヤ中間係止部は、その円弧が下方向きでジブ中心線上に位置する円弧状ワイヤ係止部材を備え、当該円弧状ワイヤ係止部材にはジブ用ワイヤが嵌まり込み可能な溝が形成されており、前記ジブ用ワイヤ中間部を当該ワイヤ中間係止部の側方から前記円弧状ワイヤ係止部材に係脱可能としたことを特徴とする請求項１又は２に記載された移動式クレーンの伸縮ブーム先端へのジブ着脱装置。
【発明の詳細な説明】
【技術分野】
【０００１】
本発明は、オルタレーンクレーン等の移動式クレーンに使用可能な伸縮ブーム先端へのジブ着脱装置に関する。
【背景技術】
【０００２】
ジブをトラック等の運搬車に搭載して運搬するタイプのジブの場合には、作業現場で当該ジブを吊上げて移動式クレーンの伸縮ブーム先端に装着する作業が必要となる。その際ジブが装着される移動式クレーンの吊上げ装置を利用してジブを伸縮ブーム先端まで吊上げ、伸縮ブームに装着する装置が提案されている（例えば、特許文献１参照。）。
【０００３】
図９は特許文献１に記載されたジブ着脱装置を示したものである。倒伏状態の伸縮ブーム４の前方地面上にジブ６が載置されている。図示しないジブ用ウインチからのジブ用ワイヤ１０が伸縮ブーム先端上方に張り出したアーム３８先端のシーブ１２に掛け回された後、伸縮ブーム先端下方に吊下され、その先端がジブ６基端部のアーム３７に接続されている。ウインチを巻き上げることによりジブ６の基端部は（イ）の位置に引上げられ、さらに巻き上げるとジブ６の基端部は（ロ）の位置まで引上げられる。その後、上側連結部３９及び下側連結部４０を連結することにより伸縮ブーム４の先端にジブ６を装着できる。
【０００４】
特許文献１に記載されたジブ着脱装置によれば、ジブ吊上げのために別のクレーンを用意する必要が無いという利点がある。また、移動式クレーンに装備されているジブ用ウインチ及びそのワイヤを使用するので、専用のジブ引上げのための機構を要しないという利点もある。このような移動式クレーンのジブ用ウインチとジブ用ワイヤを用いた伸縮ブームへのジブ着脱装置は、他にも提案されている（例えば、特許文献２参照。）。
【特許文献１】特許第２７６７５９８号公報（第４−５頁、第１図）
【特許文献２】特許第３００９３７５号公報（第２−３頁、第２図）
【発明の開示】
【発明が解決しようとする課題】
【０００５】
ところが、上述したような従来のジブ着脱装置は、ジブ用ワイヤ先端をジブ基端部に連結するものであるため、ジブを伸縮ブーム先端に装着した後に、ジブ用ワイヤ先端をジブ基端部から取り外す作業が必要であった。ブーム先端付近は比較的高い位置にあって作業する足場も不安定となり易いため、安全の面から改善が望まれていた。また、ワイヤ先端の連結及び解除作業は時間もかかる作業であるため、作業工数の面からも改善が望まれていた。
【０００６】
さらに、作業員がジブ用ワイヤ先端をジブ先端まで運んでジブ先端シーブに掛け回し、ワイヤ先端をジブ先端から吊下させる作業も必要であった。ジブ上面は高さが高いだけでなく幅も狭く歩きにくいため、この作業についても安全面及び工数面から同様に改善が望まれていた。
【０００７】
そこで、本発明は、ジブ基端部からジブ用ワイヤ先端を取り外す必要がなく、またジブ用ワイヤ先端をジブ先端まで運ぶ必要がないため、安全面及び工数面で優れたジブ着脱装置を提供しようとするものである。
【課題を解決するための手段】
【０００８】
本願の請求項１に記載された移動式クレーンの伸縮ブーム先端へのジブ着脱装置は、ブームジブ間連結手段により伸縮ブーム先端にジブを連結可能な移動式クレーンの伸縮ブーム先端へのジブ着脱装置において、伸縮ブーム先端上部に設置された張出し自在なジブ着脱用シーブと、ジブ基端上部に設置されジブ用ワイヤ中間部を係脱自在なワイヤ中間係止部と、ジブ先端部に設置されジブ用ワイヤの先端を係脱自在なワイヤ先端係止部と、を備え、次の手順で前記ジブを伸縮ブーム先端に連結することを特徴とする。
（１）倒伏状態の伸縮ブームとジブが平面視同軸となるよう、かつ伸縮ブーム先端の下方にジブ基端部が位置するようジブを地面上に載置する。
（２）旋回台に備えられたジブ用ウインチから繰出されたジブ用ワイヤを前記ジブ着脱用シーブに掛け回した後に伸縮ブーム先端から吊下する。
（３）前記ジブ用ワイヤ中間部を前記ジブ基端部のワイヤ中間係止部に係止し、さらに当該ジブ用ワイヤ先端部を前記ジブ先端のワイヤ先端係止部に係止する。
（４）前記ジブ用ウインチを巻き上げることによりジブ基端部を伸縮ブーム先端まで引上げた後、前記ブームジブ間連結手段により前記ジブ基端部を伸縮ブーム先端に連結する。
【０００９】
さらに、本願の請求項２に記載された移動式クレーンの伸縮ブーム先端へのジブ着脱装置は、特徴とする請求項１に記載された手順に次の手順が加えられることを特徴とする。
（５）前記ジブ用ワイヤ中間部と前記ワイヤ中間係止部との係止を解除する。
（６）前記ジブ用ワイヤ先端部とワイヤ先端係止部との係止を解除した後、当該ジブ用ワイヤ先端をジブ先端から吊下し、当該ジブ用ワイヤ先端にジブ用フックを取り付ける。
【００１０】
また、本願の請求項３に記載された移動式クレーンの伸縮ブーム先端へのジブ着脱装置は、請求項１又は２に記載された前記ワイヤ中間係止部は、その円弧が下方向きでジブ中心線上に位置する円弧状ワイヤ係止部材を備え、当該円弧状ワイヤ係止部材にはジブ用ワイヤが嵌まり込み可能な溝が形成されており、前記ジブ用ワイヤ中間部を当該ワイヤ中間係止部の側方から前記円弧状ワイヤ係止部材に係脱可能としたことを特徴とする。
【発明の効果】
【００１１】
請求項１に記載されたジブ着脱装置は、ジブ基端上部に設置したワイヤ中間係止部にジブ用ワイヤ中間部を係止し、さらに当該ジブ用ワイヤ先端部をジブ先端のワイヤ先端係止部に係止した状態で、ジブ用ウインチを巻き上げることによりジブ基端部を伸縮ブーム先端まで引上げ伸縮ブーム先端に連結した後、ジブ用ワイヤ中間部を前記ワイヤ中間係止部から取り外すようにしたので、従来必要であったジブ基端部からジブ用ワイヤ先端部を取り外す作業が不要となる。
【００１２】
請求項２に記載されたジブ着脱装置は、請求項１の手順で伸縮ブーム先端にジブを連結した後、ジブ用ワイヤ中間部と前記ワイヤ中間係止部との係止を解除すると共に当該ジブ用ワイヤ先端部とワイヤ先端係止部との係止を解除し、その先端部にジブ用フックを取り付けるようにしたので、従来必要であったジブ用ワイヤ先端部をジブ先端まで運ぶ作業が不要となる。
【００１３】
請求項３に記載されたジブ着脱装置は、前記ワイヤ中間係止部をその円弧が下方向きでジブ中心線上に位置する円弧状ワイヤ係止部材を備え、当該円弧状ワイヤ係止部材にはジブ用ワイヤが嵌り込み可能な溝が形成されているので、ジブ基端部を吊上げた時にワイヤに張力が発生してもワイヤが当該円弧状ワイヤ係止部材に沿って係止された状態となるので、ワイヤに無理な変形等が発生する恐れがなくなる。
【００１４】
さらに、前記ワイヤ中間係止部は、前記ジブ用ワイヤ中間部を当該ワイヤ中間係止部の側方から前記円弧状ワイヤ係止部材に係脱可能に構成したので、ジブをブーム先端に連結した後にジブ用ワイヤ中間部を容易にワイヤ中間係止部から取り外すことができる。
【発明を実施するための最良の形態】
【００１５】
図１に、本発明の実施の形態に係る移動式クレーンの伸縮ブーム先端へのジブ着脱装置を示す。５２は伸縮ブーム５０の最先端に位置するトップブーム５１のブームヘッド５８の前方に取付けられたジブ取付け用ブラケットである。ジブ取付け用ブラケット５２は上側取付け手段５３と下側取付け手段５４とによってブームヘッド５５に強固に取付けられている。上側取付け手段５３と下側取付け手段５４は共にピン穴を有したプレートがブームヘッド５８側からとジブ取付け用ブラケット５２側から張出して構成されており、両方のプレートのピン穴が重合した状態で、取付けピンを嵌挿するようになっている。
【００１６】
５５はジブ取付け用ブラケット５２の先端上部に設置されたジブ着脱用シーブである。ジブ着脱用シーブ５５は、ジブ取付け用ブラケット５２の先端前方に張出し固定することができるようになっている。５６はジブ着脱用シーブ５５をその先端に回転自在に支持するシーブ用ブラケットであり、その基端部は前記ジブ取付け用ブラケット５２の先端上部にピン５７よって回動自在に軸着されている。
【００１７】
本実施の形態では、伸縮ブーム先端にジブ取付け用ブラケット５２を用いる場合を説明するが、ジブ取付け用ブラケット５２は本願発明のジブ着脱装置における必須の構成ではない。すなわち、上述したジブ着脱用シーブ５５をトップブーム５１のブームヘッド５８に直接設置してもよい。その場合は、ジブ取付け用ブラケット５２が不要となるので、ジブ着脱装置の全体構成をより簡単なものとすることができる。
【００１８】
４５は伸縮ブーム５０が起伏自在に枢着されている旋回台に備えられたジブ用ウインチ（図示しない。）から繰り出されたジブ用ワイヤである。ジブ用ワイヤ４５は前述したジブ取付け用ブラケット５２の先端上部を経由して当該ジブ取付け用ブラケット５２の先端下方に吊下されている。４６はジブ用ワイヤ先端の索端である。
【００１９】
６０は伸縮ブーム５０先端に連結可能なジブである。ジブ６０はジブ本体６１、ジブサポート６２及びチルトシリンダ６３とを備えており、当該ジブ本体６１基端部はジブサポート６２先端上部と起伏自在に枢着され、チルトシリンダ６３はジブサポート６２下部とジブ本体６１下面間に枢着連結されている。ジブ６０は上記チルトシリンダ６３の伸縮動作により、ジブサポート６２に対しジブ本体６１がチルト動作するようになっている。ジブ本体６１は多段伸縮式となっており、ベースジブ６４にセカンドジブ６５及びトップジブ６６が伸縮自在に嵌挿されている。ジブ本体６１は内蔵する伸縮機構（図示しない。）によって伸縮動作するようになっている。
【００２０】
６７はジブサポート６２の基端上部に配置されたワイヤ中間係止部である。６８はジブサポート６２先端上部に配置されたジブ基端ガイドシーブである。６９は前記ベースジブ先端上面に配置されたワイヤ先端係止部である。当該ワイヤ先端係止部６９には、索端取付け用穴が設けられており、前述したジブ用ワイヤ先端の索端４６を係止できるようになっている。７０は前記トップジブ６６先端上部に設けられたジブ先端上部ガイドシーブであり、７１はトップジブ６６先端下部に設けられたジブ先端下部ガイドシーブである。
【００２１】
ブームジブ間連結手段の構成は以下の通りである。７２はジブサポート６２上部の後方に向け突出配置されたジブ側上部連結片であり、連結ピン用穴が設けられている。７３は前記ジブ取付け用ブラケット５２上部に前方に向け突出配置されたブーム側上部連結片であり、連結用ピン用穴が設けられている。このジブ側上部連結片７２とブーム側上部連結片７３とが重合した状態で連結ピンが嵌挿され、両者が連結されるようになっている。７４はジブサポート６２下部の後方に向け突出配置されたジブ側下部連結片であり、連結ピン係合部７５が上方に向け開放して形成されている。７６は前記ジブ取付け用ブラケット５２先端下部の側方に向け突出配置された下部連結ピンである。このジブ側下部連結片７４の連結ピン係合部７５が下部連結ピン７６と係合し、両者が連結されるようになっている。
【００２２】
図２は図１に示した上記ジブサポート６２のＡ矢視詳細図である。また、図３は図２のＢ矢視断面図である。ジブサポート６２の後部上面に配置されたワイヤ中間係止部６７は、その円弧が下方向きでジブ中心線上に位置する円弧状ワイヤ係止部材７７を備えている。当該円弧状ワイヤ係止部材７７には、ジブ用ワイヤ４５が嵌り込み可能な溝７８が形成されている。７９はジブサポート６２の後部上面に立設されたサポートである。当該サポート７９はジブ中心線に平行な面８０を有しており、その面８０に前記円弧状ワイヤ係止部材７７が取付けられている。ワイヤ中間係止部６７は上述した構成としたことにより、前記ジブ用ワイヤ先端の索端４６をジブ先端のワイヤ先端係止部６９に係止したままでも、ジブ用ワイヤ中間部をワイヤ中間係止部６７の側方から前記円弧状ワイヤ係止部材７７に係脱可能となっている。
【００２３】
ジブサポート６２の前方上部に設置されたジブ基端ガイドシーブ６８は、図２に示されたようにそのシーブ溝８１がジブ中心線上に位置するように配置されている。したがって、前記ワイヤ中間係止部６７にジブ用ワイヤ４５を掛け回すと同時に、ジブ基端ガイドシーブ６８にジブ用ワイヤ４５を掛け回すことができる。
【００２４】
上述した本願発明のジブ装着装置を用いたジブ６０を伸縮ブーム５０先端に連結する手順は以下の通りである。図１に示すように、倒伏状態の伸縮ブーム５０と平面視同軸となるように、かつ伸縮ブーム先端の下方にジブ基端部が位置するようにジブ６０を地面上に載置する。ジブ着脱用シーブ５５を引上げ、ジブ取付け用ブラケット５２の前方上部の位置で固定手段（図示しない。）により固定する。
【００２５】
図４に示すように、前記旋回台に備えられたジブ用ウインチ（図示しない。）から繰り出されたジブ用ワイヤ４５を、前記ジブ着脱用シーブ５５に掛け回した後に伸縮ブーム先端から吊下する。図４に示すように、ジブ用ワイヤ中間部をジブ基端部のワイヤ中間係止部６７に係止し、ジブ基端ガイドシーブ６８に掛け回し、さらにジブ用ワイヤ先端部の索端４６をベースジブ先端のワイヤ先端係止部６９に係止する。
【００２６】
図５に示すように前記ジブ用ウインチを巻き上げることにより、ジブ基端部（ジブサポート６２）を伸縮ブーム先端に向けて引き上げる。その際、ジブ用ワイヤ４５は緊張状態となり、ジブ用ワイヤ４５がジブ基端部のワイヤ中間係止部６７に作用してジブ基端部を引き上げる形となる。また、この時、ジブ先端部は地面に接地したままである。
【００２７】
さらにジブ用ワイヤ４５を引き上げると、図６に示すように前記ジブサポート６２のジブ側下部連結片７４に形成された連結ピン係合部７５が、ジブ取付け用ブラケット５２の下部連結ピン７６に係合する。次にチルトシリンダ６３を縮小すると、ジブ６０の先端が地面に接したまま伸縮ブーム先端側へ引き寄せられると共に、ジブサポート６２が下部連結ピン７６周りに回転し、ジブ側上部連結片７２がジブ取付け用ブラケット５２のブーム側上部連結片７３に接近する。ジブ側上部連結片７２とブーム側上部連結片７３が重合した後、連結ピン（図示しない。）により両連結片を連結する。以上によりジブ６０を伸縮ブーム５０先端に連結することができる。
【００２８】
図７に示すように、ジブ用ウインチを僅かに繰出しジブ用ワイヤ４５を緩めた後、ジブ用ワイヤの該当する中間部をワイヤ中間係止部６７の側方へ移動させることによりワイヤ中間係止部６７との係止を解除することができる。このように、従来ジブ６０を伸縮ブーム先端に連結した後に必要であったジブ基端部からジブ用ワイヤ先端を取り外す作業が不要となり、迅速かつ安全にジブ作業用ワイヤ４５とジブ基端部との係止を解除することができる。
【００２９】
図８はジブ張り出し作業が完了したときの状態を示したものである。図７に示した状態から図８の状態へは以下の手順を経ている。まず、ジブ用ワイヤ４５の索端４６とベースジブ先端のワイヤ先端係止部６９との係止を解除する。ジブ用ワイヤ４５をジブ先端上部ガイドシーブ７０とジブ先端下部ガイドシーブ７１に掛け回す。ジブ用ワイヤ先端の索端４６にサブフック８１を連結する。この時、ジブ先端は地上付近に位置しているので、上記の作業は安全かつ容易に行うことができる。すなわち、従来のジブ着脱装置では必要であったジブ用ワイヤ４５の先端を持ってジブ上をジブ先端まで運ぶ作業が不要となるので、安全性及び作業の迅速性が向上する。そして、チルトシリンダ６３を伸長してジブ本体６１をジブサポート６２に対して起仰させれば図８に示したジブ作業姿勢となる。
【００３０】
以上が、本願発明のジブ着脱装置を用いたジブ６０の伸縮ブーム５０への装着作業の手順である。なお、ジブ６０を伸縮ブーム５０から取り外す作業は、上述した手順を逆に行うこととなる。
【図面の簡単な説明】
【００３１】
【図１】本願の発明に係る移動式クレーンのブーム先端へのジブ着脱装置である。
【図２】図１のＡ矢視詳細図である。
【図３】図２のＢ矢視断面図である。
【図４】ジブ装着作業の手順の説明図である。
【図５】ジブ装着作業の手順の説明図である。
【図６】ジブ装着作業の手順の説明図である。
【図７】ジブ装着作業の手順の説明図である。
【図８】ジブ装着作業が完了した時のジブ作業姿勢である。
【図９】特許文献１に記載されたジブ着脱装置である。
【符号の説明】
【００３２】
４５：ジブ用ワイヤ
５０：伸縮ブーム
５５：ジブ着脱用シーブ
６０：ジブ
６７：ワイヤ中間係止部
６９：ワイヤ先端係止部
７７：円弧状ワイヤ係止部材
７８：溝
８１：ジブ用フック
【図１】
2006341939.tif 000003
【図２】
2006341939.tif 000004
【図３】
2006341939.tif 000005
【図４】
2006341939.tif 000006
【図５】
2006341939.tif 000007
【図６】
2006341939.tif 000008
【図７】
2006341939.tif 000009
【図８】
2006341939.tif 000010
【図９】
2006341939.tif 000011